(57)【要約】【課題】本発明は、この温度差に着目してなされたものであり、温度差を抑制することで収納容器内部の温度をより均一にすることを目的とする。【解決方法】上記目的を達成するために、本発明は、伝熱体と、この伝熱体の表面に設けた蓄冷剤と、前記伝熱体および前記蓄冷剤を包装部材にて包装されてなる壁体を有し、前記蓄冷剤を外側に配して構成されたものであり、蓄冷剤の冷気が伝熱体全体に広がるとともに、収納箱内部の空気が伝熱体と接触することで天面部と底面部との温度分布が伝熱体でより均一化され、その結果、収納箱内部の温度をより均一に保つことができる。【選択図】図２
2020037446.tif 000002
【特許請求の範囲】
【請求項１】
伝熱体と、この伝熱体の表面に設けた蓄冷剤と、前記伝熱体および前記蓄冷剤を包装部材にて包装されてなる壁体を有し、前記蓄冷剤を外側に配して構成された収納箱。
【請求項２】
前記壁体は、少なくとも、脱着可能な固定部材または前記包装部材にて隣り合う前記壁体と連結されてなる請求項１に記載の収納箱。
【請求項３】
少なくとも前記蓄冷剤を覆う部分の包装部材は、透明な樹脂である請求項１または２に記載の収納箱。
【請求項４】
収納箱内部に物理量センサを設けた請求項１〜３のいずれか一項に記載の収納箱。
【発明の詳細な説明】
【技術分野】
【０００１】
本発明は収納箱に関し、特に、収納物を所望の温度に管理することに適した収納箱に関する。
【背景技術】
【０００２】
従来、収納物を所望の温度域で管理するために断熱性容器が用いられている。この断熱性容器には、例えば、真空断熱材等の断熱材料が用いられ、所望の温度域で保管が可能となるよう構成されている（例えば、特許文献１参照）。
【先行技術文献】
【特許文献】
【０００３】
【特許文献１】特開２０１３−１０５２３号公報
【発明の概要】
【発明が解決しようとする課題】
【０００４】
その収納物が治験薬の場合、例えば、２℃〜８℃の温度域での保管が必要であるが、収納箱内部のある箇所でこの温度域に入っていたとしても、別の箇所でこの温度域から外れた場合にはその収納物が廃棄処分となってしまう。したがって、収納箱内部の温度分布をできるだけ抑えることが重要である。
【０００５】
収納箱内部の温度分布は、一般的に、収納箱の天面部と底部で大きく温度差が発生し、天面部の温度が高くなる。
【０００６】
本発明は、この温度差に着目してなされたものであり、温度差を抑制することで収納箱内部の温度をより均一にすることを目的とする。
【課題を解決するための手段】
【０００７】
上記目的を達成するために、本発明は、伝熱体と、この伝熱体の表面に設けた蓄冷剤と、前記伝熱体および前記蓄冷剤を包装部材にて包装されてなる壁体を有し、前記蓄冷剤を外側に配して構成されたものである。
【発明の効果】
【０００８】
蓄冷剤の冷気が伝熱体全体に広がるとともに、収納箱内部の空気が伝熱体と接触することで天面部と底面部との温度分布が伝熱体でより均一化され、その結果、収納箱内部の温度をより均一に保つことができる。
【図面の簡単な説明】
【０００９】
【図１】本発明の実施の形態１における収納箱の概略斜視図
【図２】同収納箱の断面図
【図３】同収納箱の展開図
【図４】図３におけるＡ−Ａ線の断面図
【図５】同収納箱を折りたたんだ状態の断面図
【図６】（ａ）〜（ｃ）は、薬品を収納した実施の形態１における同収納箱をさらに保冷容器に収容する説明のための断面図
【発明を実施するための形態】
【００１０】
本発明の第一の発明は、伝熱体と、この伝熱体の表面に設けた蓄冷剤と、前記伝熱体および前記蓄冷剤を包装部材にて包装されてなる壁体を有し、前記蓄冷剤を外側に配して構成されたものであり、これにより、蓄冷剤からの冷気が伝熱体全体に広がり、その伝熱体を通じて収納箱内部に冷気を伝えることになるため、収納箱内部の温度をより均一に保つことができる。
【００１１】
本発明の第二の発明は、第一の発明の壁体は、少なくとも、脱着可能な固定部材または前記包装部材にて隣り合う前記壁体と連結されてなるものであり、これにより収納箱を折り畳むことが可能となり、蓄冷剤を冷却する際、収納箱を折り畳んだ状態で冷却装置に投入できるため冷却装置内のスペースを有効に活用することができるとともに、一つ一つの蓄冷剤を包装部材から取り出す必要もなく、また冷却完了した蓄冷剤を一つ一つ包装部材に収める必要もなくなるため、冷却作業を簡便にすることができる。
【００１２】
本発明の第三の発明は、第一または第二の発明の、少なくとも前記蓄冷剤を覆う部分の包装部材は、透明な樹脂としたものであり、これにより包装部材を通して目視で蓄冷剤の融解度合いを確認することができる。
【００１３】
本発明の第四の発明は、収納箱内部に物理量センサを設けたものであり、これにより収納箱内部の環境状況をモニター、管理することができる。
【００１４】
以下、図面を用いて本発明の実施の形態を説明する。
（実施の形態１）
図１は、本発明の実施の形態１における収納箱の概略斜視図、図２は、同収納箱の断面図、図３は、同収納箱の展開図、図４は、図３におけるＡ−Ａ線の断面図、図５は、同収納箱を折りたたんだ状態の断面図である。
【００１５】
本実施の形態１における収納箱１は、図４に示すように、一つの面が、伝熱体１ｃの表面に蓄熱材１ｂを設けて包装部材１ａで包装した壁体１０からなっており、この壁体１０が６面で収納箱１を形成している。
【００１６】
ここで蓄冷剤１ｂは、収納箱１の外側に配置される。これは、蓄冷剤１ｂの冷気がより均一に収納箱１内部に伝わるようにするためである。すなわち、伝熱体１ｃがなければ蓄冷剤１ｂの冷気は収納箱１の底部に一方的に流れていくため、結果、天面部と底部との温度差が開いてしまう。そこで伝熱体１ｃを設けることにより、蓄冷剤１ｂの冷気が伝熱体１ｃ全体に広がるとともに、収納箱１内部の空気が伝熱体１ｃと接触することで天面部と底面部との温度分布が伝熱体でより均一化され、その結果として、収納箱１内部の温度をより均一に保つことができる。
【００１７】
加えて、蓄冷剤１ｂを収納箱１の外側に配置することで、収納箱１の内部が隅々まで見通せることができる。蓄冷剤１ｂを収納箱１の内側に配置した場合、収納物が蓄冷剤１ｂの陰になりその存在を見落とす虞がある。特に、収納物が小さい薬品ビンの場合、このようなミスが発生しやすい。しかし、本実施に形態１の収納箱１は、収納した薬品ビンが蓄冷剤の陰になることはなく、視認性が高い構成となっていることも特徴である。
【００１８】
さらに、蓄冷剤１ｂを収納箱１の外側に配置し、少なくとも前記蓄冷剤１ｂを覆う部分の包装部材１ａを透明な樹脂とすることで、包装部材１ａを通して目視で蓄冷剤１ｂの融解度合いを確認することができる。
【００１９】
温度管理をする上で蓄冷剤の融解度合いを把握することは重要なことであるが、収納箱を開けて中にある蓄冷剤を確認することは、内部温度の上昇をもたらすと共に不要な振動、光等を薬品等に与えてしまいかねないため現実には難しい。
【００２０】
しかし、本実施の形態１における収納箱１の場合、収納箱１を開けることなく包装部材１ａを通して目視で蓄冷剤１ｂの融解度合いを確認することができるため、融解度合いを確認できない不安感を解消することができる。
【００２１】
伝熱体１ｃとしては、金属（例えば、アルミニウム、銅）、または、樹脂（例えば、ポリプロピレン、ＡＢＳ樹脂）などを用いることができ、より伝導度の高い材料を用いることが望ましい。
【００２２】
収納箱１は折り畳むことが可能である。図３に示すように、各壁体１０は、少なくとも、包装部材１ａもしくは脱着可能な固定部材１ｄで連結されているので、固定部材１ｄを外すことで簡単に展開、折り畳むことができ、また簡単に収納箱に組み立てることができる。
【００２３】
固定部材１ｄとしては面状テープを用いることができ、蓄冷剤１ｂや伝熱体１ｃの重量、厚み等に応じて固定部材１ｄの大きさ、壁体１０の連結場所等を設定すればよい。
【００２４】
蓄冷剤は、一般的には、使用前に冷却装置で冷却を行い、収納箱を使用する際、蓄冷剤を収納箱に設置するが、本実施の形態１における収納箱１は、蓄冷剤１ｂを壁体１０に設置した状態で収納箱１を折り畳むことができる。例えば、図５に示すように、蓄冷剤１ｂが縦に配列するよいうに折り畳むことができる。冷却装置の内部の高さスペースの制限が厳しい場合は、蓄冷剤１ｂが２列に縦方向に配列するように折り畳むことで高さを抑えることができる。
【００２５】
いずれにしても、一つ一つの蓄冷剤を包装部材から取り出す作業が必要なく、また冷却完了した蓄冷剤を一つ一つ包装部材に収める必要もなくなるため、冷却作業を簡便かつ効率的に行うことができる。なお、本実施の形態１における収納箱１には蓄冷剤１ｂを出し入れするための開口部は図示していないが、管理すべき温度域に応じて蓄冷剤を適宜選択するため、あるいは、蓄冷剤の点検等により出し入れが必要なため、前記開口部を壁体１０、例えば、収納箱１の天面方向に開口するよう包装部材１ａに設ければよい。その際、上述した収納箱１内部の温度をより均一にするために蓄冷材１ｂと伝熱体１ｃの密着性を阻害することがないよう、前記開口部に上述した固定部材等を設けて密着性を維持または向上できるようにすることが望ましい。
【００２６】
本実施の形態１における収納箱１は、さらに保冷容器に収納することも可能である。これにより、収納箱の温度をより均一に長時間維持することが可能となる。
【００２７】
図６は、薬品ビンを収納した実施の形態１における収納箱をさらに保冷容器に収容する様子を模式的に示した図である。
【００２８】
薬品ビン２０を収納した収納箱１を保冷容器３０の収納部に収納し、蓋３１をしてこの蓋３１が開かないよう外装ケース３２のファスナー３２でしっかりと閉じる。
【００２９】
なお、収納箱１には、収納物の運搬中の収納箱内部の環境変化を記録するため、物理量センサ（例えば、温度センサ、振動センサ、光センサ等単体もしくはそれらの複合センサ）を収納箱に設けることも可能である。その場合は、一番温度が高いと考えられる箇所（例えば、収納箱内部の天面部）に設けることが望ましい。併せて、前記物理量センサからの測定データを外部機器に送信するために、有線、または無線手段を使うことが可能である。
【００３０】
有線の場合は、物理量センサから延出するケーブルを収納箱天面に這わせて各壁体との連結部の隙間から収納箱外へ引き回す方法が考えられる。
【００３１】
無線の場合は、電波の遮蔽の影響を考慮し、伝熱体材料として樹脂を用いることが望ましい。
【産業上の利用可能性】
【００３２】
本発明は、収納箱内部の温度をより均一に保つことができるため、特定の温度域での保管環境が必要な、例えば、治験薬、血液、検体等を運搬するための収納箱、保冷容器等、に適用可能である。
【符号の説明】
【００３３】
１  収納箱
１ａ  包装部材
１ｂ  蓄冷剤
１ｃ  伝熱体
１ｄ  固定部材
１０  壁体
２０  薬品
３０  保冷容器
３１  蓋
３２  ファスナー
３３  外装ケース
【図１】
2020037446.tif 000003
【図２】
2020037446.tif 000004
【図３】
2020037446.tif 000005
【図４】
2020037446.tif 000006
【図５】
2020037446.tif 000007
【図６】
2020037446.tif 000008